(57)【特許請求の範囲】
【請求項１】
一対の側壁部材間に中間棚が備えられた物品収納具であって、上記中間棚は奥端部を支点として上下に回動自在に設けられ、
少なくとも上記一方の側壁部材は、上記中間棚を水平姿勢で支持する棚受け部を有し、
上記中間棚の側部に、中間棚を上方へ回動させて奥側へ跳ね上げた姿勢で固定する固定部材が設けられ、
上記固定部材は、上記棚受け部に対して係脱自在な係止部を有し、
上記中間棚を跳ね上げた際、上記係止部が棚受け部に係止して中間棚が固定されることを特徴とする物品収納具。
【請求項２】
固定部材は中間棚と側壁部材との間に配置され、
上記固定部材の奥端部が上下回動自在に中間棚の側面に取付けられ、
上記固定部材の手前側端部に係止部が設けられ、
上記固定部材の遊端部は棚受け部で摺動自在に支持されていることを特徴とする請求項１記載の物品収納具。
【発明の詳細な説明】
【０００１】
【発明の属する技術分野】
本発明は、一対の側壁部材間に中間棚が備えられた物品収納具に関するものである。
【０００２】
【従来の技術】
従来、この種の物品収納具としては、例えば特公昭５３−１６２８０号公報が挙げられる。すなわち、左右一対の側枠間に中間棚が上下複数段設けられている。上記中間棚は奥端部を支点として上下回動自在に両側枠に取付けられている。また、両側枠には、中間棚を水平姿勢で支持する棚受が設けられている。
【０００３】
上記中間棚は、後部棚板と、この後部棚板の前部に挿入されかつ前後方向へ出退自在な前部棚板とで構成されている。上記前部棚板の上面には係合部材が立設されており、また、上記後部棚板の奥端と天板とにはそれぞれ係合部が設けられている。
【０００４】
これによると、前部棚板を後部棚板側へ押し込むとともに、中間棚を跳ね上げた場合、下段の中間棚の係合部材が上段の中間棚の係合部に係合し、これによって、中間棚を跳ね上げた状態で固定している。尚、最上段の中間棚を跳ね上げた場合、最上段の中間棚の係合部材が天板の係合部に係合することによって、最上段の中間棚を跳ね上げた状態で固定している。
【０００５】
【発明が解決しようとする課題】
しかしながら上記の従来形式では、跳ね上げた特定の中間棚を固定するために、係合部材を係合部に係合する際、これら係合部材と係合部との係合位置は、棚受により水平姿勢で支持された場合の上記特定の中間棚の位置よりもかなり高くなる。このため、特に最上段の中間棚を跳ね上げた状態で固定する場合、係合部材と係合部との係合位置が非常に高くなり、係合部材を係合部に係合することが容易に行い難く、跳ね上げた中間棚を迅速かつ容易に固定することが難しいといった問題がある。
【０００６】
また、係合部材は前部棚板の上面に立設されているため、中間棚を棚受で水平姿勢に支持した状態で、中間棚に対して物品を出し入れする場合、係合部材が物品の出し入れの邪魔になり、物品の出し入れ作業がスムーズに行えないといった問題がある。
【０００７】
また、中間棚および天板に係合部と係合部材とを設ける必要があるため、部品点数が増加するといった問題もある。
【０００８】
本発明は、跳ね上げた中間棚を迅速かつ容易に固定することができ、また、水平姿勢に保持された中間棚に対して物品をスムーズに出し入れすることができ、さらに、部品点数を削減できる物品収納具を提供することを目的とする。
【０００９】
【課題を解決するための手段】
上記問題を解決するために本第１発明における物品収納具は、一対の側壁部材間に中間棚が備えられた物品収納具であって、上記中間棚は奥端部を支点として上下に回動自在に設けられ、
少なくとも上記一方の側壁部材は、上記中間棚を水平姿勢で支持する棚受け部を有し、
上記中間棚の側部に、中間棚を上方へ回動させて奥側へ跳ね上げた姿勢で固定する固定部材が設けられ、
上記固定部材は、上記棚受け部に対して係脱自在な係止部を有し、
上記中間棚を跳ね上げた際、上記係止部が棚受け部に係止して中間棚が固定されるものである。
【００１０】
これによると、中間棚は水平姿勢で棚受け部で支持され、中間棚を跳ね上げた際、固定部材の係止部が棚受け部に係止し、中間棚が跳ね上げ状態で固定される。したがって、中間棚を跳ね上げ状態で固定する場合、中間棚の水平姿勢時の高さで上記係止部を棚受け部に係止させるため、係止部と棚受け部との係止位置が中間棚の水平姿勢時の高さ付近にまで低下し、これにより、跳ね上げた中間棚を迅速かつ容易に固定することができる。
【００１１】
また、中間棚を跳ね上げて固定する場合、固定部材の係止部を棚受け部に係止するため、上記棚受け部は、跳ね上げられた中間棚を固定することと、水平姿勢の中間棚を支持することとの２通りの機能を有しており、その分だけ、部品点数が削減される。
【００１２】
本第２発明における物品収納具は、固定部材は中間棚と側壁部材との間に配置され、
上記固定部材の奥端部が上下回動自在に中間棚の側面に取付けられ、
上記固定部材の手前側端部に係止部が設けられ、
上記固定部材の遊端部は棚受け部で摺動自在に支持されているものである。
【００１３】
これによると、固定部材は中間棚と側壁部材との間に配置されているため、中間棚を棚受け部で水平姿勢に支持した状態で、中間棚に対して物品を出し入れする場合、固定部材が物品の出し入れの邪魔になることはなく、したがって、水平姿勢の中間棚に対して物品の出し入れ作業がスムーズに行える。また、係止部は固定部材の手前側端部に設けられているため、中間棚を跳ね上げた状態で固定する場合、固定部材の係止部と棚受け部との係止は物品収納具の手前側から容易に行える。
【００１４】
【発明の実施の形態】
以下、本発明の第１の実施の形態を図１〜図９に基づいて説明する。
【００１５】
図６〜図８に示すように、１は物品２を収納する移動自在な物品収納具である。この物品収納具１は左右で相対向する左側パネル部材３（側壁部材の一例）と右側パネル部材４（側壁部材の一例）とを有しており、左右両側パネル部材３，４間の後方に後側パネル部材５が配置されており、さらに、左右両側パネル部材３，４の下端間には底部材６が支持されている。
【００１６】
上記左側パネル部材３ならびに右側パネル部材４はそれぞれ、四角形状の外枠体７と、この外枠体７の内側に設けられた複数の横材８および縦材９とによって構成されている。同様に、後側パネル部材５も、外枠体１１と横材１２および縦材１３とによって構成されている。
【００１７】
また、上記左側パネル部材３と後側パネル部材５とは一方の連結具１４を介して連結されている。さらに、右側パネル部材４と後側パネル部材５とは他方の連結具１５を介して連結されており、図８の仮想線で示すように、右側パネル部材４は縦軸心１６を中心として後側パネル部材５の前面側へ回動して折畳み可能に構成されている。また、上記底部材６は、ヒンジ具（図示せず）を介して、後側パネル部材５の下端部に上下回動自在に取付けられており、水平姿勢で左右両側パネル部材３，４の外枠体７の下部横材７ａによって支持され、図８の仮想線で示すように、跳ね上げることによって後側パネル部材５の前面側へ折り畳まれる。
【００１８】
上記左右両側パネル部材３，４の下端の前部と後側パネル部材５の下端の左右端部とには、遊転自在な車輪１８（キャスター）が設けられている。また、上記左右両側パネル部材３，４間には中間棚２０が備えられている。この中間棚２０は、図４に示すように、左右一対の側フレーム２１ａ，２１ｂと、両側フレーム２１間に連結された複数の支持フレーム２２と、これら支持フレーム２２間の上面を覆うように設けられた平板２３とで構成されている。
【００１９】
上記中間棚２０の取付箇所において、後側パネル部材５の外枠体１１の左右端の縦支柱１１ａ，１１ｂにはそれぞれ前方へ突出した取付片２４が設けられ、両取付片２４間に上記中間棚２０の両側フレーム２１ａ，２１ｂの後端部が挿入されており、これら取付片２４と側フレーム２１ａ，２１ｂの後端部とが連結用軸２５によって連結されている。これにより、中間棚２０は上記連結用軸２５を支点として上下に回動自在に構成されている。
【００２０】
また、上記左右両側パネル部材３，４の特定の横材８にはそれぞれ、中間棚２０を水平姿勢で支持する棚受け部材２７ａ，２７ｂ（棚受け部の一例）が設けられている。図１〜図５に示すように、各棚受け部材２７ａ，２７ｂは、上記横材８の外側面に当て付けられる縦板部２８と、この縦板部２８の下端から内方へ連設された横板部２９と、この横板部２９の内端から斜め上方へ傾斜した傾斜部３０とで構成されている。
【００２１】
また、上記中間棚２０の左側部には、図１，図２に示すように、中間棚２０を上方へ回動させて後側パネル部材５の側へ跳ね上げた姿勢で固定する固定部材３２が設けられている。この固定部材３２は平板状の部材であり、固定部材３２の後端部が、ピン３３を介して、中間棚２０の左の側フレーム２１ａの外側面後部に、上下回動自在に取付けられている。
【００２２】
図４，図５に示すように、上記固定部材３２は、中間棚２０と左側パネル部材３との間に配置されており、左側の棚受け部材２７ａで前後摺動自在に支持されている。また、図３に示すように、固定部材３２の遊端（手前先端）は半円状に形成されている。さらに、固定部材３２の遊端には、左側の棚受け部材２７ａに対して係脱自在な切欠部３４（係止部の一例）が形成されており、中間棚２０を跳ね上げた際、図２に示すように、上記切欠部３４が左側の棚受け部材２７ａの横板部２９に係止して中間棚２０が固定される。この状態での固定部材３２の傾斜角度をαとすると、図３に示すように、固定部材３２の遊端部には、傾斜角度αで傾斜した傾斜端面３５が形成されている。
【００２３】
また、図６に示すように、左側パネル部材３の一部には、左側の棚受け部材２７ａを設けた横材８と固定部材３２との間に異物が挟まれることを防止するためのネット３６が張り付けられている。また、図８に示すように、左右両側パネル部材３，４の前端間にはステー３７が掛け止めされており、このステー３７の遊端部は上記右側パネル部材４の前端に着脱自在に構成されている。
【００２４】
以下に、上記構成における作用を説明する。
【００２５】
図３，図５，図７に示すように、中間棚２０は左右両棚受け部材２７ａ，２７ｂによって水平姿勢で支持される。この際、固定部材３２は、中間棚２０と左側パネル部材３との間で、左側の棚受け部材２７ａによって支持されている。これにより、物品２を中間棚２０上に収納したり底部材６上に収納することができる。
【００２６】
この際、固定部材３２は中間棚２０と左側パネル部材３との間に配置されているため、中間棚２０に対して物品２を出し入れする場合、固定部材３２が物品２の出し入れの邪魔になることはなく、したがって、水平姿勢の中間棚２０に対して物品２の出し入れ作業がスムーズに行える。
【００２７】
また、ステー３７の遊端部を右側パネル部材４の前端から外して、このステー３７を左側パネル部材３の前端に吊り下げた後、図１，図２および図６の仮想線で示すように、連結用軸２５を支点として中間棚２０を上方へ回動させ後側パネル部材５の側へ跳ね上げることによって、固定部材３２は、左側の棚受け部材２７ａに支持された状態で後方へ摺動し、水平姿勢から傾斜姿勢に変わる。そして、固定部材３２の切欠部３４を左側の棚受け部材２７ａの横板部２９の後端に係止させることによって、中間棚２０に対して固定部材３２は突っ張りの役目を果たし、中間棚２０が跳ね上げ状態で固定される。
【００２８】
したがって、中間棚２０を跳ね上げ状態で固定する場合、中間棚２０の水平姿勢時の高さＨで上記切欠部３４を左側の棚受け部材２７ａに係止させるため、切欠部３４と左側の棚受け部材２７ａとの係止位置が中間棚２０の水平姿勢時の高さＨの付近にまで低下し、これにより、跳ね上げた中間棚２０を迅速かつ容易に固定することができる。
【００２９】
また、中間棚２０を跳ね上げて固定する場合、固定部材３２の切欠部３４を左側の棚受け部材２７ａに係止するため、左側の棚受け部材２７ａは、図２に示すように跳ね上げられた中間棚２０を固定することと、図５に示すように水平姿勢の中間棚２０を支持することとの２通りの機能を有しており、その分だけ、部品点数が削減される。
【００３０】
また、中間棚２０を跳ね上げた状態で固定する場合、固定部材３２の切欠部３４と棚受け部材２７ａとの係止は物品収納具１の手前側から行えるため、中間棚２０の跳ね上げた状態での固定が迅速かつ容易に行える。
【００３１】
さらに、図２に示すように、切欠部３４を棚受け部材２７ａに係止して、中間棚２０を跳ね上げた状態で固定した際、固定部材３２が傾斜角度αで傾斜することによって、固定部材３２の傾斜端面３５全体が棚受け部材２７ａの横板部２９の上面に密接するため、固定部材３２にかかる荷重は上記傾斜端面３５全体を通して棚受け部材２７ａで無理無く受け止められる。
【００３２】
また、中間棚２０を跳ね上げた状態から水平姿勢に戻す場合は、固定部材３２の切欠部３４を左側の棚受け部材２７ａから外し、中間棚２０を手前側へ横倒させればよい。この際、ネット３６によって、異物が外側から横材８と固定部材３２との間に侵入することを防止することができるため、異物が横材８と固定部材３２との間に挟まれるといった不具合を防止することができる。さらに、中間棚２０を水平姿勢に戻す際、図５に示すように、中間棚２０の両側フレーム２１ａ，２１ｂが両棚受け部材２７ａ，２７ｂの傾斜部３０に案内されるため、左右方向（幅方向）へのずれが防止される。
【００３３】
また、物品収納具１を使用しない場合、上記のようにして中間棚２０を跳ね上げた状態で固定し、さらに、図８の仮想線で示すように、底部材６を跳ね上げることにより、中間棚２０と底部材６とを後側パネル部材５の前面側へ折り畳み、次に、縦軸心１６を中心として右側パネル部材４を後側パネル部材５の前面側へ回動して折畳むことによって、図９の実線で示すように、物品収納具１が平面視Ｌ形状に折り畳まれる。このようにして折畳んだ物品収納具１を複数台重ねて保管することによって、多数の物品収納具１を狭い保管スペースで効率良く保管することができる。
【００３４】
上記実施の形態では、図８に示すように、左右両側パネル部材３，４間に中間棚２０を１段設けているが、上下複数段設けてもよい。
【００３５】
上記実施の形態では、図４に示すように、固定部材３２を中間棚２０の左側面に設けているが、左側パネル部材３を後側パネル部材５の側へ折畳み可能に構成した場合には、固定部材３２を中間棚２０の右側面に設けてもよい。さらには、固定部材３２を中間棚２０の左右両側面に設けてもよい。
【００３６】
上記実施の形態では、棚受け部材２７ａ，２７ｂを左右両側パネル部材３，４の横材８に溶接等で取付けているが、上記横材８の一部に切断や折り曲げ加工を施して、横材８の一部を棚受け部材２７ａ，２７ｂに成形してもよい。
【００３７】
上記実施の形態では、左右両側パネル部材３，４に棚受け部材２７ａ，２７ｂを設けているが、左側の棚受け部材２７ａまたは右側の棚受け部材２７ｂのいずれか片方のみを設けて中間棚２０を支持してもよい。尚、この場合、固定部材３２は片方の棚受け部材２７ａまたは棚受け部材２７ｂの側に設けられる。
【００３８】
上記実施の形態では、左右両側パネル部材３，４の後部間に後側パネル部材５を設けているが、後側パネル部材５を設けていない物品収納具１であってもよい。尚、この場合、中間棚２０の後端は、連結用軸２５等を介して、左右両側パネル部材３，４の後端部に取付けられる。
【００３９】
上記実施の形態では、側壁部材の一例として、格子状のパネル部材３，４を用いているが、平板状や金網状のものを用いてもよい。また、後側パネル部材５も同様に、格子状に限らず、平板状や金網状のものを後側壁部材として用いてもよい。
【００４０】
上記第１の実施の形態では、図２に示すように、固定部材３２の遊端部に係止部の一例である切欠部３４を設け、この切欠部３４を棚受け部材２７ａの横板部２９に係止しているが、以下に説明する第２の実施の形態では、図１０に示すように、係止部の他の例として、固定部材３２の遊端部に、下方へ突出する突部４０を設けている。また、左側の棚受け部材２７ａの横板部２９には、上記突部４０が嵌脱自在な係止孔４１が形成されている。さらに、固定部材３２の遊端には、傾斜角度αで傾斜した傾斜端面３５が形成されている。
【００４１】
これによると、中間棚２０を跳ね上げた際、固定部材３２の突部４０を左側の棚受け部材２７ａの係止孔４１に上方から嵌入することによって、中間棚２０が跳ね上げ状態で固定される。
【００４２】
また、先述した第１の実施の形態では、図４に示すように、固定部材３２を中間棚２０の左の側フレーム２１ａの外側方に設けているが、第３の実施の形態として、図１１に示すように、固定部材３２を左の側フレーム２１ａの内側方に設けてもよい。
【００４３】
【発明の効果】
以上のように本第１発明によれば、中間棚を跳ね上げ状態で固定する場合、中間棚の水平姿勢時の高さで係止部を棚受け部に係止させるため、係止部と棚受け部との係止位置が中間棚の水平姿勢時の高さ付近にまで低下し、したがって、跳ね上げた中間棚を迅速かつ容易に固定することができる。
【００４４】
また、棚受け部は、跳ね上げられた中間棚を固定することと、水平姿勢の中間棚を支持することとの２通りの機能を有しており、その分だけ、部品点数が削減される。
【００４５】
また、本第２発明によれば、固定部材は中間棚と側壁部材との間に配置されているため、中間棚を棚受け部で水平姿勢に支持した状態で、中間棚に対して物品を出し入れする場合、固定部材が物品の出し入れの邪魔になることはなく、したがって、水平姿勢の中間棚に対して物品の出し入れ作業がスムーズに行える。また、係止部は固定部材の手前側端部に設けられているため、中間棚を跳ね上げた状態で固定する場合、固定部材の係止部と棚受け部との係止は物品収納具の手前側から容易かつ迅速に行える。
【図面の簡単な説明】
【図１】本発明の第１の実施の形態における物品収納具の中間棚を跳ね上げた際の固定構造を示す斜視図である。
【図２】同、物品収納具の中間棚を跳ね上げた際の固定構造を示す側面図である。
【図３】同、物品収納具の中間棚を水平姿勢で支持した際の側面図である。
【図４】同、物品収納具の中間棚の一部切欠き平面図である。
【図５】同、物品収納具の左側の棚受け部材の正面図である。
【図６】同、物品収納具の左側面図である。
【図７】同、物品収納具の正面図である。
【図８】同、物品収納具の斜視図である。
【図９】同、物品収納具を折畳んだ際の平面図である。
【図１０】本発明の第２の実施の形態における物品収納具の固定部材の遊端部と棚受け部材との係止構造を示す図である。
【図１１】本発明の第３の実施の形態における物品収納具の中間棚の一部切欠き平面図である。
【符号の説明】
１    物品収納具
３    左側パネル部材（側壁部材）
４    右側パネル部材（側壁部材）
２０    中間棚
２７ａ，２７ｂ    棚受け部材（棚受け部）
３２    固定部材
３４    切欠部（係止部）
４０    突部（係止部）
【図１】
0003603635.tif 000002
【図２】
0003603635.tif 000003
【図３】
0003603635.tif 000004
【図４】
0003603635.tif 000005
【図５】
0003603635.tif 000006
【図６】
0003603635.tif 000007
【図７】
0003603635.tif 000008
【図８】
0003603635.tif 000009
【図９】
0003603635.tif 000010
【図１０】
0003603635.tif 000011
【図１１】
0003603635.tif 000012